(57)【要約】【課題】就寝時に回転数が増加し、騒音が上がることなく昼夜を認識して就寝時にも快適に使用できるシーリングファンを提供する。【解決手段】中心をシャフト１０１で軸支される外転型のモータ１０２と、このモータ１０２の回転子１０３に固定される羽根１０４と、前記モータ１０２の固定子１０５の下面に固定され前記モータ１０２の回転数を制御する制御手段５と、室内の明るさを検出する光検出手段と、前記制御手段５の下面に設けられた照明素子２とを備え、前記制御手段５は、前記光検出部７からの検出量によって前記モータ１０２の回転数と前記照明素子２を制御する構成とした。【選択図】図１
2010101214.tif 000002
【特許請求の範囲】
【請求項１】
中心をシャフトで軸支される外転型のモータと、このモータの回転子に固定される羽根と、前記モータの固定子の下面に固定され前記モータの回転数を制御する制御手段と、室内の明るさを検出する光検出手段と、前記制御手段の下面に設けられた発光手段とを備え、前記制御手段は、前記光検出手段からの検出量によって前記モータの回転数と前記発光手段を制御する構成としたシーリングファン。
【請求項２】
発光手段は発光色を単一にして輝度を変化させるようにした請求項１記載のシーリングファン。
【請求項３】
発光手段は発光色を複数にして色を変化させるようにした請求項１記載のシーリングファン。
【請求項４】
光検出手段の検出量が低下した場合に前記モータの回転数を低下させるようにした請求項１記載のシーリングファン。
【請求項５】
光検出手段の検出量が低下した場合に前記発光手段の輝度を低下させるようにした請求項１記載のシーリングファン。
【請求項６】
光検出手段の検出量が増加した場合に前記モータの回転数を増加させるようにした請求項１記載のシーリングファン。
【請求項７】
光検出手段の検出量が増加した場合に前記発光手段の輝度を増加させるようにした請求項１記載のシーリングファン。
【請求項８】
光検出部の検出量が規定の下限値より瞬時に低下した場合に前記モータの回転数を徐々に低下させ一定時間後に停止させるようにした請求項１記載のシーリングファン。
【請求項９】
光検出部の検出量が規定の下限値より瞬時に低下した場合に発光手段の輝度を徐々に低下させ一定時間後に消灯させるようにした請求項１記載のシーリングファン。
【請求項１０】
光検出部の検出量が規定の下限値から徐々に上昇してきた場合に前記モータの回転数を徐々に上昇させるようにした請求項１記載のシーリングファン。
【請求項１１】
光検出部の検出量が規定の下限値から徐々に上昇してきた場合に発光手段の輝度を徐々に上昇させるようにした請求項１記載のシーリングファン。
【請求項１２】
室内の温度を検出する温度検出部を設け、温度検出部の検出量が予め設けられた規定温度以上の場合には光検出部からの検出量に対する前記モータの制御を停止するようにした請求項１または４および８記載のシーリングファン。
【請求項１３】
室内の温度を検出する温度検出部を設け、温度検出部の検出量が予め設けられた規定温度以下の場合には光検出部からの検出量に対する前記モータの制御を停止するようにした請求項１または６および１０記載のシーリングファン。
【請求項１４】
室内の温度を検出する温度検出部を設け、温度検出部の検出量が予め設けられた規定温度以下の場合には前記光検出部の検出量によって前記モータの最大風量の回転数のみ低減するようにした請求項１または６記載のシーリングファン。
【請求項１５】
室内の温度を検出する温度検出部を設け、温度検出部の検出量が予め設けられた規定温度以上の場合には前記光検出部の検出量によって前記モータの最大風量の回転数のみ増加するようにした請求項１または６記載のシーリングファン。
【発明の詳細な説明】
【技術分野】
【０００１】
本発明は、一般家庭や事務所等で使用されるシーリングファンに関するものである。
【背景技術】
【０００２】
冷暖房機と併用して使用されるシーリングファンは、天井から涼風を供給するとともに、冷房時に床面に偏っている冷気を拡散させ、室内の温度を均一化させる機能が快適で健康にもよく、かつ、冷房機器を省エネ運転できる経済効果から普及が広がりつつある。
【０００３】
従来、この種のシーリングファンの一例として温度検知器を設けた天井扇風機が知られている（例えば、特許文献１参照）。
【０００４】
以下、そのシーリングファンについて図１１、１２を参照しながら説明する。
【０００５】
図１１、１２に示すように、中心をシャフト１０１で軸支される外転型のモータ１０２と、このモータの回転子１０３に固定される羽根１０４と、前記モータ１０２の固定子１０５の下面に固定される制御ボックス１０６と、この制御ボックス１０６の下面に露出して設けた複数の発光素子からなる発光部１０７と、前記制御ボックスに収納される制御手段１０８で構成され、制御手段１０８は、モータ１０２を制御するモータ制御部１０９と、発光部１０７を制御する発光制御部１１０と、周辺の温度を検知する温度検知部１１１で構成されている。
【０００６】
上記構成において、シーリングファンの運転時には、制御手段１０８が、モータ制御部１０９を介してモータ１０２に通電し、羽根１０４が回転して送風が行なわれる。
【０００７】
また制御手段１０８は、温度検知部１１１にて検知された温度に対して予め設定された温度と比較して決定される発光色を発光制御部１１０を介して発光部１０７にて点灯するものであり、使用者はこの発光色を確認することで天井付近の温度を認識することができるものである。
【特許文献１】特開平６−２８８３８７号公報
【発明の開示】
【発明が解決しようとする課題】
【０００８】
このような従来のシーリングファンでは、昼夜問わず発光部が点灯しているので就寝時に光がまぶしいという課題があった。
【０００９】
また、温度によってモータの回転速度を変化させるため就寝時に回転速度が上昇することで騒音も大きくなるという課題があった。
【００１０】
本発明は、このような従来の課題を解決するものであり、昼夜を認識して就寝時にも快適に使用できるシーリングファンを提供することを目的としている。
【課題を解決するための手段】
【００１１】
本発明のシーリングファンは上記目的を達成するために、中心をシャフトで軸支される外転型のモータと、このモータの回転子に固定される羽根と、前記モータの固定子の下面に固定され前記モータの回転数を制御する制御手段と、室内の明るさを検出する光検出手段と、前記制御手段の下面に設けられた発光手段とを備え、前記制御手段は、前記光検出手段からの検出量によって前記モータの回転数と前記発光手段を制御する構成としたものである。
【００１２】
この手段により室内の光量によってモータの回転数と発光手段を制御できるので昼夜を判別して最適な運転ができるシーリングファンが得られる。
【００１３】
また、本発明のシーリングファンは上記目的を達成するために、発光手段は発光色を単一にして輝度を変化させるようにしたものである。
【００１４】
この手段により安価で発光量を調節できるシーリングファンが得られる。
【００１５】
また、本発明のシーリングファンは上記目的を達成するために、発光手段は発光色を複数にして色を変化させるようにしたものである。
【００１６】
この手段により室内の明るさに合わせた発光色を選択できるので就寝時でも煩わしくないシーリングファンが得られる。
【００１７】
また、本発明のシーリングファンは上記目的を達成するために、光検出手段の検出量が低下した場合に前記モータの回転数を低下させるようにしたものである。
【００１８】
この手段により室内が暗くなっていくとモータの回転数を下げることで騒音を低減できるシーリングファンが得られる。
【００１９】
また、本発明のシーリングファンは上記目的を達成するために、光検出手段の検出量が低下した場合に前記発光手段の輝度を低下させさせるようにしたものである。
【００２０】
この手段により室内が暗くなっていくと発光量を下げることでまぶしさを低減できるシーリングファンが得られる。
【００２１】
また、本発明のシーリングファンは上記目的を達成するために、光検出手段の検出量が増加した場合に前記モータの回転数を増加させるようにしたものである。
【００２２】
この手段により室内が明るくなっていくとモータの回転数を上げて涼感を得ることができるシーリングファンが得られる。
【００２３】
また、本発明のシーリングファンは上記目的を達成するために、光検出手段の検出量が増加した場合に前記発光手段の輝度を増加させるようにしたものである。
【００２４】
この手段により室内が明るくなっていくと発光量を上げることで見やすくすることができるシーリングファンが得られる。
【００２５】
また、本発明のシーリングファンは上記目的を達成するために、光検出部の検出量が規定の下限値より瞬時に低下した場合に前記モータの回転数を徐々に低下させ一定時間後に停止させるようにしたものである。
【００２６】
この手段により室内の照明器が消灯されたような瞬時に暗くなった場合には就寝するものと判断して運転を停止し無駄な電力を消費しないようにすることができるシーリングファンが得られる。
【００２７】
また、本発明のシーリングファンは上記目的を達成するために、光検出部の検出量が規定の下限値より瞬時に低下した場合に発光手段の輝度を徐々に低下させ一定時間後に消灯させるようにしたものである。
【００２８】
この手段により室内の照明器が消灯されたような瞬時に暗くなった場合には就寝するものと判断して発光量をゼロにして無駄な電力を消費しないようにすることができるシーリングファンが得られる。
【００２９】
また、本発明のシーリングファンは上記目的を達成するために、光検出部の検出量が規定の下限値から徐々に上昇してきた場合に前記モータの回転数を徐々に上昇させるようにしたものである。
【００３０】
この手段により明け方のような室内の光量が徐々に増えてくるような場合に、モータの回転数を上げることで使用者の睡眠からの目覚めを促すことのできるシーリングファンが得られる。
【００３１】
また、本発明のシーリングファンは上記目的を達成するために、光検出部の検出量が規定の下限値から徐々に上昇してきた場合に発光手段の輝度を徐々に上昇させるようにしたものである。
【００３２】
この手段により明け方のような室内の光量が徐々に増えてくるような場合に、発光量を上げることで使用者の睡眠からの目覚めを促すことのできるシーリングファンが得られる。
【００３３】
また、本発明のシーリングファンは上記目的を達成するために、室内の温度を検出する温度検出部を設け、温度検出部の検出量が予め設けられた規定温度以上の場合には前記光検出部からの検出量に対する前記モータの制御を停止するようにしたものである。
【００３４】
この手段により室内の温度が高い場合には室内の明るさによるモータの回転数の制御を停止するので光検出量が少ない場合にモータの回転数が低下して涼感を得られなくなるというようなことのないシーリングファンが得られる。
【００３５】
また、本発明のシーリングファンは上記目的を達成するために、室内の温度を検出する温度検出部を設け、温度検出部の検出量が予め設けられた規定温度以下の場合には光検出部からの検出量に対する前記モータの制御を停止するようにしたものである。
【００３６】
この手段により室内の温度が低い場合には室内の明るさによるモータの回転数の制御を停止するので光検出量が多い場合にモータの回転数を上昇させて冷感を感じさせてしまうことのないシーリングファンが得られる。
【００３７】
また、本発明のシーリングファンは上記目的を達成するために、室内の温度を検出する温度検出部を設け、温度検出部の検出量が予め設けられた規定温度以下の場合には光検出部の検出量によって前記モータの最大風量の回転数のみ低減するようにしたものである。
【００３８】
この手段により室内の温度が低い場合に光検出量が多くなってもモータの回転数の最大値を低減しているので冷感を感じさせてしまうことのないシーリングファンが得られる。
【００３９】
また、本発明のシーリングファンは上記目的を達成するために、室内の温度を検出する温度検出部を設け、温度検出部の検出量が予め設けられた規定温度以上の場合には前記光検出部の検出量によって前記モータの最大風量の回転数のみ増加するようにしたものである。
【００４０】
この手段により室内の温度が高い場合に光検出量が多くなればモータの回転数の最大値を増加しているのでより涼感を感じることができるシーリングファンが得られる。
【発明の効果】
【００４１】
本発明によれば、室内の明るさを検出して昼夜を判別することにより就寝時等の生活シーンに合わせて発光部の光量や運転風量を自動調節することができるので使い勝手が良いという効果のあるシーリングファンを提供できる。
【発明を実施するための最良の形態】
【００４２】
本発明の請求項１記載の発明は、中心をシャフトで軸支される外転型のモータと、このモータの回転子に固定される羽根と、前記モータの固定子の下面に固定され前記モータの回転数を制御する制御手段と、室内の明るさを検出する光検出手段と、前記制御手段の下面に設けられた発光手段とを備え、前記制御手段は、前記光検出手段からの検出量によって前記モータの回転数と前記発光手段を制御する構成としたものであり、室内の光量によってモータの回転数と発光手段を制御できるので昼夜を判別して最適な運転ができるという作用を有する。
【００４３】
また、発光手段は発光色を単一にして輝度を変化させるようにしたものであり、安価で発光量を調節できるという作用を有する。
【００４４】
また、発光手段は発光色を複数にして色を変化させるようにしたものであり、室内の明るさに合わせた発光色を選択できるので就寝時でも煩わしくないという作用を有する。
【００４５】
また、光検出手段の検出量が低下した場合に前記モータの回転数を低下させるようにしたものであり、室内が暗くなっていくとモータの回転数を下げることで騒音を低減できるという作用を有する。
【００４６】
また、光検出手段の検出量が低下した場合に前記発光手段の輝度を低下させるようにしたものであり、室内が暗くなっていくと発光量を下げることでまぶしさを低減できるという作用を有する。
【００４７】
また、光検出手段の検出量が増加した場合に前記モータの回転数を増加させるようにしたものであり、室内が明るくなっていくとモータの回転数を上げて涼感を得ることができるという作用を有する。
【００４８】
また、光検出手段の検出量が増加した場合に前記発光手段の輝度を増加させるようにしたものであり、室内が明るくなっていくと発光量を上げることで見やすくすることができるという作用を有する。
【００４９】
また、光検出部の検出量が規定の下限値より瞬時に低下した場合に前記モータの回転数を徐々に低下させ一定時間後に停止させるようにしたものであり、室内の照明器が消灯されたような瞬時に暗くなった場合には就寝するものと判断して運転を停止し無駄な電力を消費しないようにすることができるという作用を有する。
【００５０】
また、光検出部の検出量が規定の下限値より瞬時に低下した場合に発光手段の輝度を徐々に低下させ一定時間後に消灯させるようにしたものであり、室内の照明器が消灯されたような瞬時に暗くなった場合には就寝するものと判断して発光量をゼロにして無駄な電力を消費しないようにすることができるという作用を有する。
【００５１】
また、光検出部の検出量が規定の下限値から徐々に上昇してきた場合に前記モータの回転数を徐々に上昇させるようにしたものであり、明け方のような室内の光量が徐々に増えてくるような場合に、モータの回転数を上げることで使用者の睡眠からの目覚めを促すことのできるという作用を有する。
【００５２】
また、光検出部の検出量が規定の下限値から徐々に上昇してきた場合に発光手段の輝度を徐々に上昇させるようにしたものであり、明け方のような室内の光量が徐々に増えてくるような場合に、発光量を上げることで使用者の睡眠からの目覚めを促すことのできるという作用を有する。
【００５３】
また、室内の温度を検出する温度検出部を設け、温度検出部の検出量が予め設けられた規定温度以上の場合には前記光検出部からの検出量に対する前記モータの制御を停止するようにしたものであり、室内の温度が高い場合には室内の明るさによるモータの回転数の制御を停止するので光検出量が少ない場合にモータの回転数が低下して涼感を得られなくなるというようなことのないという作用を有する。
【００５４】
また、室内の温度を検出する温度検出部を設け、温度検出部の検出量が予め設けられた規定温度以下の場合には光検出部からの検出量に対する前記モータの制御を停止するようにしたものであり、室内の温度が低い場合には室内の明るさによるモータの回転数の制御を停止するので光検出量が多い場合にモータの回転数を上昇させて冷感を感じさせてしまうことがないという作用を有する。
【００５５】
また、室内の温度を検出する温度検出部を設け、温度検出部の検出量が予め設けられた規定温度以下の場合には光検出部の検出量によって前記モータの最大風量の回転数のみ低減するようにしたものであり、室内の温度が低い場合に光検出量が多くなってもモータの回転数の最大値を低減しているので冷感を感じさせてしまうことがないという作用を有する。
【００５６】
また、室内の温度を検出する温度検出部を設け、温度検出部の検出量が予め設けられた規定温度以上の場合には前記光検出部の検出量によって前記モータの最大風量の回転数のみ増加するようにしたものであり、室内の温度が高い場合に光検出量が多くなればモータの回転数の最大値を増加しているのでより涼感を感じることができるという作用を有する。
【００５７】
以下、本発明の実施の形態について図面を参照しながら説明する。
【００５８】
（実施の形態１）
以下、本発明の実施の形態１について図１〜図３を参照しながら説明する。
【００５９】
なお、従来例と同一部分については同一の番号を付し、詳細な説明は省略する。
【００６０】
中心をシャフト１０１で軸支される外転型のモータ１０２と、このモータ１０２の回転子１０３に固定される羽根１０４と、前記モータ１０２の固定子１０５の下面に固定される制御ボックス１０６と、この制御ボックス１０６の下面にリング状に露出した導光板１と、前記導光板１に向けて設けた複数の発光手段としての照明素子２を単一色たとえば赤色の発光ダイオード３で構成した照明部４と、前記制御ボックス１０６に収納される制御手段５とを備え、図２に示すように、前記制御手段５は前記モータ１０２を制御するモータ制御部１０９と、前記照明部４を制御する照明制御部６と、室内の明るさを検出する光検出部７から構成する。
【００６１】
上記構成において、シーリングファンの運転時には、制御手段５から、モータ制御部１０９を介してモータ１０２に通電され、羽根１０４が回転して送風が行なわれる。
【００６２】
このとき図３のフローチャートに示すように制御手段５に設けた光検出部７は室内の明るさを光量で検出しており、制御手段５は予め分類された３つの検出光量の各ゾーンに対して現在の検出光量がどのゾーンに帰属するかを判断してモータ１０２の回転数および照明部４の輝度を調節している。
【００６３】
たとえば、図４に示すように検出光量が１０ルクスと１００ルクスを境にして区分けされたゾーンを設けて、１０ルクス未満をＡゾーンとして就寝時を想定している。次に１０ルクス以上１００ルクス未満をＢゾーンとして早朝や夕方を想定している。また１００ルクス以上をＣゾーンとし昼や夕食の時間帯を想定している。また、それぞれのゾーンに対応してモータ１０２の回転数と照明部４の輝度が規定されている。
【００６４】
このとき現在の検出光量が９０ルクスであれば現在のモータ１０２の回転数と照明部４の輝度はＢゾーンで規定された数値に設定され、検出光量が変化して１０ルクス未満になればＡゾーンで規定された数値にそれぞれ変更される。
【００６５】
以上のように室内の明るさを検出することによって生活シーンを想定し、暗くなれば風量と照度を低下させ、明るくなれば風量と照度を上昇させるというように使い勝手を良くして運転することができる。
【００６６】
また、本実施例では照明素子２を単一色の発光ダイオードで説明したが複数色のＬＥＤを用いて検出ゾーンによって発光色を変えても良い。
【００６７】
（実施の形態２）
本実施の形態は前記実施の形態１と制御方法が異なるのみであり、同一構成のものは同一番号を付して詳しい説明は省略する。
【００６８】
図５に示すように制御手段５は光検出部７から検出された室内の明るさが１秒以内に５０ルクス以上減少してＡゾーンに移行した場合には室内の照明器が消灯されたと判断してモータ制御部１０９を介してモータ１０２の回転数を５分毎に順次低下させ停止させる。
【００６９】
また同様に照明制御部６を介して照明部４の輝度を５分毎に順次低下させ消灯させる。
【００７０】
例えば、現在風量３にて運転している場合に光検出部７から検出された明るさが１秒以内にＡゾーンへ移行すると、制御手段５は５分経過後にモータ制御部１０９を介してモータ１０２の回転数を低下させ風量２に変更する。さらに５分が経過すると風量１に変更し、その５分後に運転を停止させる。
【００７１】
以上のように室内の照明器が消灯されるような明るさの急激な変化があった場合には就寝と判断して徐々に風量を下げ最終的には運転を停止させ、また照明部４の輝度も同様に下げて消灯することで無駄な電力を消費しないようにすることができる。
【００７２】
なお、本実施例では５分毎に風量を低下させたが１分毎でも１０分毎でも効果に大差はない。
【００７３】
（実施の形態３）
本実施の形態は前記実施の形態１と制御方法が異なるのみであり、同一構成のものは同一番号を付して詳しい説明は省略する。
【００７４】
図６に示すように、制御手段５は光検出部７から検出された室内の明るさがＡゾーンからＢゾーンへ１０秒間に１０ルクス以下の割合で移行した場合には明け方の室内の光量の増加と判断してモータ制御部１０９を介してモータ１０２の回転数を５分毎に順次上昇させる。また同様に照明制御部６を介して照明部４の輝度を５分毎に順次上昇させる。
【００７５】
例えば、現在風量１で運転している場合に光検出部７から検出された明るさがＡゾーンからＢゾーンへ１０秒間に１０ルクス以下の割合で移行すると制御手段５は５分経過後にモータ制御部１０９を介してモータ１０２の回転数を上昇させ風量２に変更する。さらに５分が経過すると風量３に変更し、その後も同様に風量５まで上昇させる。
【００７６】
以上のように明け方のような室内の光量が徐々に増えてくる場合には運転風量を徐々に上げていくことで使用者に風を当てて睡眠からの目覚めを促すことができ、また照明部４の輝度も徐々に上げていくことで使用者に光による刺激を与えて目覚めを促すことができる。
【００７７】
なお、本実施例では５分毎に風量を上昇させたが１分毎でも１０分毎でも効果に大差はない。
【００７８】
（実施の形態４）
本実施の形態は前記実施の形態１に対して室内の温度を検出する温度検出部８を追加したものであり、同一構成のものは同一番号を付して詳しい説明は省略する。
【００７９】
図７、図８に示すように制御手段５に設けられた温度検出部８は室内の温度を検出しており、制御手段５は温度検出部８からの検出信号から予め規定された温度例えば２５℃に対して高いか低いかを判断している。
【００８０】
まず制御手段５は温度検出部８からの検出信号から２５℃より高いと判断した場合、光検出部７からの検出光量がＣゾーンからＢゾーンまたはＡゾーンへ移行してもモータ１０２の回転数を変更せずにＢゾーンで規定された回転数を維持する。
【００８１】
また温度検出部８からの検出信号が２５℃より低い場合は、光検出部７からの検出光量がＡゾーンからＢゾーンまたはＣゾーンへ移行してもモータ１０２の回転数を変更せずにＡゾーンで規定された回転数を維持する。
【００８２】
以上のように室内の検出温度によって室内の明るさに対する運転風量の変更を停止させるので、温度が高い時には室内が暗くなっても運転風量を下げることがないので涼感を得ることができ、また温度が低い時には室内が明るくなっても運転風量を上げることがないので冷感を感じることをなくすことができる。
【００８３】
また、本実施例では温度検出部８の検出温度によって光検出部７の検出ゾーンによる各運転風量の回転数の変化を停止させたが、図９に示すように、温度検出部８の検出結果が２５℃より低い場合に光検出部７の検出ゾーンがＡゾーンからＢゾーンに移行した際には通常通り各風量の回転数は増加させるが風量５の回転数のみ低下させて最大風量時にのみ冷感を感じなくするようにしても良い。また図１０に示すように、温度検出部８の検出結果が２５℃より高い場合に光検出部７の検出ゾーンがＢゾーンからＡゾーンに移行した際には通常通り各風量の回転数は低減させるが風量５の回転数のみ増加させて最大風量時にのみ涼感を得られるようにしても良い。
【産業上の利用可能性】
【００８４】
室内の明るさを検知することで生活シーンを想定して運転風量を変更するので、室内に設置されるエアコンの運転制御にも適用できる。
【図面の簡単な説明】
【００８５】
【図１】本発明の実施の形態１のシーリングファンの構造図
【図２】同制御ブロック図
【図３】同制御フローチャート
【図４】同光検出部の検出量に対する運転風量と照明部の輝度との相関図
【図５】実施の形態２の光検出部の検出量に対する運転風量とのタイミングチャート
【図６】実施の形態３の光検出部の検出量に対する運転風量とのタイミングチャート
【図７】実施の形態４の制御ブロック図
【図８】同制御フローチャート
【図９】同温度検出部の検出量に対する光検出部の検出量と運転風量との相関図
【図１０】同温度検出部の検出量に対する光検出部の検出量と運転風量との相関図
【図１１】従来のシーリングファンの構造図
【図１２】同温度検出部の検出量に対する運転風量の相関図
【符号の説明】
【００８６】
１  導光板
２  照明素子
３  発光ダイオード
４  照明部
５  制御手段
６  照明制御部
７  光検出部
【図１】
2010101214.tif 000003
【図２】
2010101214.tif 000004
【図３】
2010101214.tif 000005
【図４】
2010101214.tif 000006
【図５】
2010101214.tif 000007
【図６】
2010101214.tif 000008
【図７】
2010101214.tif 000009
【図８】
2010101214.tif 000010
【図９】
2010101214.tif 000011
【図１０】
2010101214.tif 000012
【図１１】
2010101214.tif 000013
【図１２】
2010101214.tif 000014